(57)【要約】【課題】衝撃の負荷によって表示板そのものが弾性変形しても、窓枠部材が表示板より脱落せず、表示板に大きな力学的負荷をかけずに、窓枠部材を表示板に強固に固定でき、強度的にも優れ、しかも、美観が良好で、高級感を有した表示板を提供する。【解決手段】ソーラーセル機器類のソーラー発電装置の上方に配置される表示板であって、ソーラー発電装置の上方に配置され、外部からの光を透過可能な透光性基板と、透光性基板の上方に配置される付加部材と、付加部材に形成され、透光性基板を貫通する貫通部と、透光性基板の下方に配置され、付加部材を固定する支持部材とを備える。【選択図】図１
2008249492.tif 000002
【特許請求の範囲】
【請求項１】
ソーラーセル機器類のソーラー発電装置の上方に配置される表示板であって、
前記ソーラー発電装置の上方に配置され、外部からの光を透過可能な透光性基板と、
前記透光性基板の上方に配置される付加部材と、
前記付加部材に形成され、透光性基板を貫通する貫通部と、
前記透光性基板の下方に配置され、付加部材を固定する支持部材と、
を備えることを特徴とする表示板。
【請求項２】
前記透光性基板には、透光性基板を貫通するように形成された取り付け用貫通孔が形成されていることを特徴とする表示板。
【請求項３】
前記支持部材に、付加部材の貫通部が貫通する取り付け用貫通孔が形成されていることを特徴とする請求項１から２のいずれかに記載の表示板。
【請求項４】
前記透光性基板を貫通するように形成された取り付け用貫通孔が窓枠開口部であることを特徴とする請求項２から３のいずれかに記載の表示板。
【請求項５】
前記支持部材を貫通するように形成された取り付け用貫通孔が窓枠開口部であることを特徴とする請求項３から４のいずれかに記載の表示板。
【請求項６】
前記支持部材は、ソーラー発電装置の上方に配置され、
透光性基板を透過した外部からの光を、ソーラー発電装置に向けて通過させる少なくとも１つの開口部を備えることを特徴とする請求項１から５のいずれかに記載の表示板。
【請求項７】
前記開口部が、ソーラーセル機器類の外部からの電波を受信するためのアンテナの上方近傍に配置されていることを特徴とする請求項６に記載の表示板。
【請求項８】
前記開口部が、ソーラーセル機器類の外部からの電波を受信するためのアンテナの開放両端部に対向して、アンテナの上方近傍に配置された２つの開口部を備えることを特徴とする請求項６に記載の表示板。
【請求項９】
前記開口部が、ソーラーセル機器類の外部からの電波を受信するためのアンテナの少なくとも一方の開放端部に対向して、アンテナの上方近傍に配置された開口部を備えることを特徴とする請求項６に記載の表示板。
【請求項１０】
前記支持部材の下面に、透過性反射板が配置されていることを特徴とする請求項６から９のいずれかに記載の表示板。
【請求項１１】
前記透光性基板と支持部材とが、接合層を介して、固定されていることを特徴とする請求項１から１０のいずれかに記載の表示板。
【請求項１２】
前記接合層が、接着剤、粘着剤、接合テープから選択した少なくとも一つの接合層から構成されていることを特徴とする請求項１１に記載の表示板。
【請求項１３】
前記付加部材が、ソーラー発電装置の非発電領域で、支持部材により固定されていることを特徴とする請求項１から１２のいずれかに記載の表示板。
【請求項１４】
前記付加部材が、圧入、カシメ、リベット留め、ロー付け、溶接から選択した少なくとも一つの手段によって支持部材により固定されていることを特徴とする請求項１から１３
のいずれかに記載の表示板。
【請求項１５】
請求項１から１４のいずれかに記載の表示板を備えたことを特徴とするソーラーセル機器類。
【請求項１６】
前記ソーラーセル機器類が、ソーラー時計であることを特徴とする請求項１５に記載のソーラーセル機器類。
【発明の詳細な説明】
【技術分野】
【０００１】
本発明は、例えば、ソーラーセル（太陽電池）からなるソーラー発電装置を備えたソーラー時計、卓上計算機、自動車、飛行機の計器パネル、携帯電話などのモバイル機器などのなどのソーラーセル機器類に用いられ、ソーラー発電装置の上方に配置される表示板に関する。
【０００２】
より詳細には、本発明は、曜日や日付などの指標を表示するための窓枠開口部の外周を囲む窓枠部材、時、分、秒などの時刻、または圧力や気温などの計測データを表示するため指標部材、表示板を装飾するための装飾部材、または、会社名、ブランド名、ペットネーム、メーカー名などの製品を識別するための識別部材などの付加部材を取り付けた表示板に関する。
【背景技術】
【０００３】
近年、ソーラーセル機器、特に、時計においては、ソーラーセル（太陽電池）からなるソーラー発電装置を備え、このソーラー発電装置が発電した電力によって駆動されるソーラー時計が市場を大きく占めるようになっている。
【０００４】
このようなソーラー時計用の表示板（文字板）では、受光した光を透過させて、その下面側に配設したソーラー発電装置に発電機能を起こさせるように構成されている。
従って、ソーラー時計用の表示板は、少なくともソーラー発電装置の発電に寄与する波長域の外部の光を透過して、ソーラー発電装置に起電力を付与するため、ある程度の光の透過性が要求され、透光性である必要がある。
【０００５】
このため、ソーラー時計用の表示板を構成する基板は、例えば、合成樹脂、紙、布などの軟質材料や、ガラスなどのセラミックに代表される脆性材料によって、透明または半透明の部品として製造されている。
【０００６】
一方、このソーラー時計用の表示板には、例えば、曜日や日付などの指標を表示するカレンダー表示部を上部より視認できるように、窓枠開口部の外周を囲むように窓枠部材が配置されている。
【０００７】
この場合、窓枠部材は、表示板を観るユーザーに美観と高級感を与えるという理由から金属製であることが望まれており、このような金属製の窓枠部材を、軟質材料や脆性材料の表示板に確実に固定する手段が、従来より、種々提案されており、例えば、金属製の窓枠部材を、軟質材料や脆性材料の表示板に、圧入やカシメなどの方法で固定することが行われている。
【０００８】
しかしながら、圧入やカシメなどの方法では、金属製の窓枠部材を表示板に強固に固定することができなかったため、例えば、大きな衝撃が表示板に負荷された場合に、窓枠部材が表示板から脱落してしまうおそれがあった。
【０００９】
このため、従来より、特許文献１（特開２００１−４２０５５号公報）では、図１０〜図１２に示したように、表示板１００を構成する軟質材料や脆性材料の基板１０２の窓枠開口部１０４の内壁１０６に、金属製の窓枠部材１０８が食い付き固定する構造が提案されている。
【００１０】
すなわち、窓枠部材１０８は、窓枠開口部１０４内に挿入される枠本体部１１０と、こ
の枠本体部１１０の上方に連続する飾り縁１０１から成る。枠本体部１１０の外周には、外方に突設する突起部１１２が形成される。飾り縁１０１は、枠本体部１１０より平面方向に沿ってフランジ状に延出し、窓枠開口部１０４を通過できない大きさに形成される。枠本体部１１０と飾り縁１０１は、共に上下方向に沿ってくり貫かれ、枠本体部１１０と飾り縁１０１を上下に貫通する貫通窓１０３が形成される。
【００１１】
窓枠部材１０８は、次のように、基板１０２に固定される。
窓枠部材１０８の枠本体部１１０が、基板１０２の窓枠開口部１０４内に挿入される。すると、枠本体部１１０の突起部１１２が、窓枠開口部１０４の内壁１０６に没入して（食い付いて）、枠本体部１１０が窓枠開口部１０４内に固定される。飾り縁１０１は、基板１０２の上面に接触して、基板１０２の上方に位置する。
【００１２】
時計を観る観察者は、窓枠部材１０８の貫通窓１０３を通して、例えば、基板１０２の下方に稼動するカレンダー表示部の日付や曜日を読みとる。ここで、観察者の目に触れる部分は、カレンダー表示部の日付や曜日を囲む飾り縁１０１の上面、および貫通窓１０３の内壁である。この場合、飾り縁１０１の上面、および貫通窓１０３の内壁が金属であるため、観察者に高級感のある美観が与えられる。
【００１３】
窓枠開口部１０４を貫通する貫通部１１０の外周に、外方に突設する突起部１１２を形成して、この突起部１１２が窓枠開口部１０４の内壁１０６に没入して（食い付いて）、窓枠部材１０８が窓枠開口部１０４に固定されるように構成されている。
【特許文献１】特開２００１−４２０５５号公報
【発明の開示】
【発明が解決しようとする課題】
【００１４】
しかしながら、特許文献１の表示板１００では、基板１０２が軟質材料から成る場合、窓枠部材１０８の突起部１１２が、窓枠開口部１０４の内壁１０６に没入すると、窓枠開口部１０４の周囲に歪が生じて、窓枠開口部１０４の周囲が変色したり、はなはだしい場合には、塑性変形する場合もあり、その結果、表示板１００の美観が著しく損なわれることになっていた。
【００１５】
また、外部から表示板１００に対して、大きな衝撃力が負荷されると、基板１０２自体が弾性変形するため、窓枠部材１０８の突起部１１２が、窓枠開口部１０４の内壁１０６より抜け落ちてしまうことになる。その結果、衝撃によって窓枠部材１０８が基板１０２から脱落してしまうことが多かった。
【００１６】
一方、基板１０２が脆性材料から成る場合、窓枠部材１０８の突起部１１２が、窓枠開口部１０４の内壁１０６に没入すると、脆性材料から成る表示板では、窓枠開口部１０４の周囲にクラックが生じやすく、はなはだしい場合には、窓枠開口部１０４の周囲が破損損傷したり、欠けることがあり、その結果、表示板１００の美観が著しく損なわれることになっていた。
【００１７】
一方、表示板には、上記のような曜日や日付などの指標を表示するための窓枠開口部１０４の外周を囲む窓枠部材からなる付加部材の他に、
（１）時、分、秒などの時刻、または圧力や気温などの計測データを表示するため指標部材、
（２）表示板を装飾するための装飾部材、または、
（３）会社名、ブランド名、ペットネーム、メーカー名などの製品を識別するための識別部材、
などの付加部材を取り付けられるのが通常である。
【００１８】
これらの付加部材を基板に取り付ける場合にも、上記の特許文献１と同様な問題が生じていた。
本発明は、このような現状に鑑み、衝撃の負荷によって表示板そのものが弾性変形しても、窓枠部材が表示板より脱落せず、表示板に大きな力学的負荷をかけずに、付加部材を表示板に強固に固定でき、強度的にも優れ、しかも、美観が良好で、高級感を有した表示板を提供することを目的とする。
【課題を解決するための手段】
【００１９】
本発明は、前述したような従来技術における課題及び目的を達成するために発明されたものであって、本発明の表示板は、ソーラーセル機器類のソーラー発電装置の上方に配置される表示板であって、
前記ソーラー発電装置の上方に配置され、外部からの光を透過可能な透光性基板と、
前記透光性基板の上方に配置される付加部材と、
前記付加部材に形成され、透光性基板を貫通する貫通部と、
前記透光性基板の下方に配置され、付加部材を固定する支持部材と、
を備えることを特徴とする。
【００２０】
なお、本明細書中、「上下方向」とは、図１において、上下方向を意味意味する。従って、上面とは、腕時計を手首に装着した状態において、外方に露出する面であり、下面とは、同状態において手首と相対する面である。
【００２１】
また、「平面方向」とは、上下方向に直交する方向であって、図１において、紙面の手前側、紙面の奥側を意味するものであり、平面方向が、バンドの長手方向、または、バンドの幅方向と重複する場合もある。
【００２２】
このように構成することによって、透光性基板の上方に付加部材を配置して、付加部材に形成された貫通部を透光性基板に貫通させて、透光性基板の下方に配置された支持部材を介して、付加部材を簡単にしかも強固に固定することができる。
【００２３】
従って、表示板を構成する基板が軟質材料から成る場合であっても、基板に負荷がかかることがないので、周囲に歪が生じることがなく、付加部材の周囲が変色せず、塑性変形する場合もなく、表示板の美観が損なわれることもない。
【００２４】
また、表示板を構成する基板が脆性材料から成る場合であっても、基板に負荷がかかることがないので、付加部材の周囲にクラックが生じることがなく、付加部材の周囲が破損損傷することもなく、欠けることもなく、表示板の美観が損なわれることもない。
【００２５】
従って、衝撃の負荷によって基板そのものが弾性変形しても、付加部材が基板より脱落せず、基板に大きな力学的負荷をかけずに、付加部材を表示板に強固に固定でき、強度的にも優れ、しかも、美観が良好で、高級感を有した表示板を提供することができる。
【００２６】
この場合、窓枠開口部を有する基板を備えた表示板は、軟質材料、あるいは脆性材料より成る透光性基板から構成されているのが、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置に発電機能を起こさせるためには望ましい。
【００２７】
また、表示板を構成する基板の厚さとしては、３０μｍ〜１０００μｍであるのが望ましく、厚さがこのような範囲にあれば、例えば、腕時計用の表示板として用いる場合に、時計を薄くするために、基板の厚さを薄くしても機械的強度が低下することなく、加工することができる。また、基板の厚さが厚すぎて、時計の針が揺動することなく、正確な時間を指示することができるとともに、時計自体の厚さをコンパクトにすることができる。
【００２８】
さらに、基板の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板の下方に配置されたソーラーセルの境界線である十字線や、濃紫色を消し去り、ソーラーセルの色調が視認されないようにすることができる。
【００２９】
なお、基板は、上記の軟質材料、脆性材料を平面的、または多層に組み合わせて形成したものであっても良い。
さらに、基板を構成する軟質材料としては、特に限定されるものではないが、例えば、合成樹脂、紙、布などを用いることができる。また、基板を構成する脆性材料としては、特に限定されるものではないが、例えば、七宝、ガラスなどのセラミック、白蝶貝などの貝などを用いることができる。
【００３０】
一方、支持部材を構成する材料としては、特に限定されるものではないが、付加部材を固定するための強度を考慮すれば、硬質材料、あるいは延性材料、特に金属製とするのが望ましく、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
付加部材の固定によって、支持部材に変色、歪、クラックなどが生じても、それらが付加部材の固定強度に大きな支障を生じさせない範囲であれば、それらは基板に隠されて外方から視認されないので、表示板の美観を損ねることはない。よって、支持部材を構成する材料は、付加部材の固定強度が得られれば、軟質材料や脆性材料であってもよい。たとえば、支持部材を構成する材料は、合成樹脂であってもよい。
【００３１】
また、本発明の表示板は、前記透光性基板には、透光性基板を貫通するように形成された取り付け用貫通孔が形成されていることを特徴とする。
このように透光性基板を貫通するように形成された取り付け用貫通孔が形成されていれば、付加部材に形成された貫通部を透光性基板の取り付け用貫通孔に貫通させれば良いので、基板に負荷がかかることがなく、透光性基板の下方に配置された支持部材を介して、付加部材を簡単にしかも強固に固定することができる。
【００３２】
また、本発明の表示板は、前記支持部材に、付加部材の貫通部が貫通する取り付け用貫通孔が形成されていることを特徴とする。
このように支持部材に、付加部材の貫通部が貫通する取り付け用貫通孔が形成されていれば、付加部材に形成された貫通部を支持部材の取り付け用貫通孔に貫通させれば良いので、支持部材に負荷がかかることがなく、支持部材が破損損傷することがなく、透光性基板の下方に配置された支持部材を介して、付加部材を簡単にしかも強固に固定することができる。
【００３３】
また、本発明の表示板は、前記透光性基板を貫通するように形成された取り付け用貫通孔が窓枠開口部であることを特徴とする。
このように構成することによって、透光性基板の上方に付加部材として窓枠部材を配置して、窓枠部材に形成された貫通部を、透光性基板の窓枠開口部に貫通させて、透光性基板の下方に配置された支持部材を介して、付加部材として窓枠部材を簡単にしかも強固に
固定することができる。
【００３４】
また、本発明の表示板は、前記支持部材を貫通するように形成された取り付け用貫通孔が窓枠開口部であることを特徴とする。
このように構成することによって、透光性基板の上方に付加部材として窓枠部材を配置して、窓枠部材に形成された貫通部を、支持部材の窓枠開口部に貫通させて、透光性基板の下方に配置された支持部材を介して、付加部材として窓枠部材を簡単にしかも強固に固定することができる。
【００３５】
また、本発明の表示板は、前記支持部材が、ソーラー発電装置の上方に配置され、透光性基板を透過した外部からの光を、ソーラー発電装置に向けて通過させる少なくとも１つの開口部を備えることを特徴とする。
【００３６】
このように構成することによって、開口部を介して、透光性基板を透過した外部からの光を、ソーラー発電装置に向けて通過させることができるので、例えば、ソーラー時計用表示板などのソーラー機器類の表示板として用いた場合にも、光透過率が低下することなく、発電に寄与することができ、機器類の駆動力などを確保することができる。
【００３７】
また、このように構成することによって、支持部材の材料に、光が透過しない、あるいは透過しにくい材料を選択することができる。たとえば、支持部材の材料を金属にできるので、支持部材に対して付加部材を強固に固定することができるようになる。
【００３８】
また、本発明の表示板は、前記開口部が、ソーラーセル機器類の外部からの電波を受信するためのアンテナの上方近傍に配置されていることを特徴とする。
このように開口部を、アンテナの上方近傍に配置することによって、例えば、無線機能付き時計に表示板を用いた場合に、アンテナ上方には、電波の受信を妨げる導電性の支持部材が存在しないので、アンテナの受信感度が向上することになる。
また、このように構成することによって、支持部材の材料に、電波が透過しない、あるいは透過しにくい材料を選択することができる。たとえば、支持部材の材料を金属にできるので、支持部材に対して付加部材を強固に固定することができるようになる。
【００３９】
また、本発明の表示板は、前記開口部が、ソーラーセル機器類の外部からの電波を受信するためのアンテナの開放両端部に対向して、アンテナの上方近傍に配置された２つの開口部を備えることを特徴とする。
【００４０】
このように構成することによって、例えば、無線機能付き時計に表示板を用いた場合に、アンテナの開放両端部に対向する部分には、２つの開口部によって、電波の受信を妨げる導電性の支持部材が存在しないので、これらの開口部を介して、電波がアンテナの開放端部に受信され、アンテナの受信感度が向上することになる。
また、このように構成することによって、支持部材の材料に、電波が透過しない、あるいは透過しにくい材料を選択することができる。たとえば、支持部材の材料を金属にできるので、支持部材に対して付加部材を強固に固定することができるようになる。
【００４１】
また、本発明の表示板は、前記開口部が、ソーラーセル機器類の外部からの電波を受信するためのアンテナの少なくとも一方の開放端部に対向して、アンテナの上方近傍に配置された開口部を備えることを特徴とする。
【００４２】
このように構成することによって、例えば、無線機能付き時計に表示板を用いた場合に、アンテナの少なくとも一方の開放端部に対向する部分には、開口部によって、電波の受信を妨げる導電性の支持部材が存在しないので、この開口部を介して、電波がアンテナの一方の開放端部に受信され、アンテナの受信感度が向上することになる。
また、このように構成することによって、支持部材の材料に、電波が透過しない、あるいは透過しにくい材料を選択することができる。たとえば、支持部材の材料を金属にできるので、支持部材に対して付加部材を強固に固定することができるようになる。
【００４３】
また、本発明の表示板は、前記支持部材の下面に、透過性反射板が配置されていることを特徴とする。
このように、支持部材の下面に透過性反射板を配置することで、表示部材全体として装飾性の富んだ貴金属感が表れるとともに、支持部材に設けた開口部が、透過性反射板の作用を受けて殆ど目立たず、違和感を覚えさせないようにすることができる。
【００４４】
透過性反射板は、光透過性と反射性の両方の機能を持ったもので、ポリエチレンテレフタレート樹脂フィルムやポリイミド樹脂フィルムなどの樹脂フィルムに真空蒸着方法、スパッタリング方法、イオンプレーティング方法などによる乾式メッキ方法で金属薄膜を形成して、透過性と反射性の両方の機能を持たせたフィルム板や反射型偏光板などを透過性反射板として用いることができる。
【００４５】
また、乾式メッキ方法で金属薄膜を形成した透過性反射板は、金属膜の膜厚を変えることにより自由に光透過率を設定することができる。この透過性反射板は、ソーラーセルの濃紫色を強く見えなくするために設けるもので、ソーラーセルからの反射光で表示面側へ透過して出射する光を減らすとともに、透過性反射板の持っている色調で濃紫色を和らげるために設けるものである。
【００４６】
透過性反射板の色調は、支持部材の色調と同系色の色調を選択するのが好ましい。同系色であると支持部材の開口部の存在が目立たなくなり、違和感を覚えさせないようになる。
【００４７】
支持部材の開口部から入射した光は、この透過性反射板を透過してソーラーセルに入射する。しかしながら、この透過性反射板によって反射される光も現れるのでその透過率は減少する。従って、この透過性反射板の透過率も考慮した中で、支持部材の開口部の大きさ、面積を設定するようにする。この透過性反射板の厚みは、５０〜３００μｍの厚みのものを使用することが好ましい。
【００４８】
なお、透過性反射板として、反射型偏光板を用いる場合には、反射型偏光板は、図２３に示したように、反射軸Ｎと透過容易軸Ｍを有していて、反射軸Ｎと平行な振動面を持つ直線偏光成分は反射し、透過容易軸Ｍと平行な振動面を持つ直線偏光成分は透過する特性を持っている。また、約５０％の光を透過し、約５０％の光を反射する特性を持っている。
【００４９】
例えば、住友３Ｍ社製の商品名「ＤＢＥＦ」を用い、光沢のある銀色（シルバー色）を呈する強い反射光を得ることができる。この反射型偏光板には銀色の他に金色を呈する反射光が得られるものもある。
【００５０】
このように透過性反射板を支持部材の下面に配置することによって、表示板全体として、銀色を呈して装飾性の富んだ貴金属感が表れることとなる。また、支持部材に設けた開口部は、銀色の反射光が得られる透過性反射板の作用を受けて殆ど目立たず、違和感を覚えないものとすることができる。
【００５１】
また、本発明の表示板は、前記透光性基板と支持部材とが、接合層を介して、固定されていることを特徴とする。
また、本発明の表示板は、前記接合層が、接着剤、粘着剤、接合テープから選択した少なくとも一つの接合層から構成されていることを特徴とする。
【００５２】
このように透光性基板と支持部材とが、接着剤、粘着剤、接合テープから選択した少なくとも一つの接合層を介して、固定されているので、付加部材と透光性基板と支持部材とを一体的に強固に固定でき、全体として表示板を構成することができる。
【００５３】
従って、衝撃の負荷によって基板そのものが弾性変形しても、付加部材が基板より脱落せず、基板に大きな力学的負荷をかけずに、付加部材を表示板に強固に固定でき、強度的にも優れ、しかも、美観が良好で、高級感を有した表示板を提供することができる。
【００５４】
また、本発明の表示板は、前記付加部材が、ソーラー発電装置の非発電領域で、支持部材により固定されていることを特徴とする。
このように付加部材が、ソーラー発電装置の非発電領域で、支持部材により固定されていれば、付加部材によって、外部からの光をソーラー発電装置の発電領域において遮断することがないので、光透過率が低下することなく、発電に寄与することができ、機器類の駆動力などを確保することができる。
【００５５】
また、本発明の表示板は、前記付加部材が、圧入、カシメ、リベット留め、ロー付け、溶接から選択した少なくとも一つの手段によって支持部材により固定されていることを特徴とする。
【００５６】
このように付加部材が、圧入、カシメ、リベット留め、ロー付け、溶接から選択した少なくとも一つの手段によって支持部材により固定されているので、支持部材を介して、付加部材を簡単にしかも強固に固定することができる。
【００５７】
また、本発明のソーラーセル機器類は、前述のいずれかに記載の表示板を備えたことを特徴とする。
また、本発明のソーラーセル機器類は、前記ソーラーセル機器類が、ソーラー時計であることを特徴とする。
【発明の効果】
【００５８】
本発明によれば、透光性基板の上方に付加部材を配置して、付加部材に形成された貫通部を透光性基板に貫通させて、透光性基板の下方に配置された支持部材を介して、付加部材を簡単にしかも強固に固定することができる。
【００５９】
従って、表示板を構成する基板が軟質材料から成る場合であっても、基板に負荷がかかることがないので、周囲に歪が生じることがなく、付加部材の周囲が変色せず、塑性変形する場合もなく、表示板の美観が損なわれることもない。
【００６０】
また、表示板を構成する基板が脆性材料から成る場合であっても、基板に負荷がかかることがないので、付加部材の周囲にクラックが生じることがなく、付加部材の周囲が破損損傷することもなく、欠けることもなく、表示板の美観が損なわれることもない。
【００６１】
従って、衝撃の負荷によって基板そのものが弾性変形しても、付加部材が基板より脱落せず、基板に大きな力学的負荷をかけずに、付加部材を表示板に強固に固定でき、強度的にも優れ、しかも、美観が良好で、高級感を有した表示板を提供することができる。
【発明を実施するための最良の形態】
【００６２】
以下、本発明の実施の形態（実施例）を図面に基づいてより詳細に説明する。
（実施例１）
図１は、本発明の表示板を、ソーラーセル（太陽電池）からなるソーラー発電装置を備えた無線機能付きソーラー腕時計に組み込んだ状態を説明する分解斜視図、図２は、図１の部分拡大分解斜視図、図３は、本発明の表示板を、無線機能付きソーラー腕時計に組み込んだ状態を説明する上面図である。
【００６３】
図１〜図３において、符号１０は、全体で本発明の表示板を組み込んだ無線機能付きソーラー時計を示している。
なお、本発明で言う「無線機能付きソーラー時計」とは、ソーラーセル（太陽電池）からなるソーラー発電装置を備え、このソーラー発電装置が発電した電力によって駆動される時計であって、例えば、パソコン通信機能、携帯電話機能や非接触式ＩＣカード機能などの無線機能を備える時計、時刻情報を含む長波標準電波（搬送波）を受信し、その時刻情報に基づいて時刻を修正する無線機能を備えた電波時計、これらの無線機能のいずれかを組み合わせて構成した時計を含むものであり、その他の無線機能を含んでもよいことは勿論である。
【００６４】
図１〜図３に示したように、無線機能付きソーラー時計１０は、ハウジング１２を備えている。
このハウジング１２は、例えば、金属製、合成樹脂製、セラミック製の略円筒形状の枠体を構成する時計ケース１４と、時計ケース１４の下面開口部を覆うように密封状態で装着される金属製の裏蓋１６と、この時計ケースの上面開口部を覆うように、密封状態で装着される風防（ガラス）１８とを備えている。
【００６５】
なお、ハウジング１２は、このように裏蓋１６を有する場合の他、裏蓋１６と時計ケース１４とが一体になった時計ケース１４である場合、裏蓋１６もガラスである場合など、様々な場合を含むものである。
【００６６】
このハウジング１２内には、時計駆動部を構成するムーブメント２０と、このムーブメント２０の上面に配置され、ムーブメント２０を光の起電力によって駆動するためのソーラー発電装置２２を備えている。
【００６７】
また、このソーラー発電装置２２の上面には、ソーラーセル２３の発電に寄与する波長の外光を、少なくともムーブメント２０の駆動に足るだけ透過させる透光機能を有する表示板２４を備えている。
【００６８】
さらに、このムーブメント２０の側部下方の小径部２０ａには、標準電波を受信するためのアンテナ２６が付設されている。
なお、この実施例では、アンテナ２６は、コアとなる棒状の磁芯部材と、この磁芯部材の外周に巻かれたコイルとより成るバーアンテナとして図示しているが、その他の構成のアンテナ部材から構成することも勿論可能である。
【００６９】
さらに、時計ケース１４は、外方に突出する２組のバンド取り付け部２８を備えており、これらのバンド取り付け部２８にはそれぞれ、互いに対向するように、一定間隔離間して配置され、時計ケース１４より延設された脚部３０を備えている。
【００７０】
そして、これらの脚部３０のそれぞれの間に、図示しない腕時計のバンドそれぞれが連結されるようになっている。
なお、ムーブメント２０より突出して、ソーラー発電装置２２と表示板２４とを貫通する針軸３１には、時針１１と分針１３とが配置される。これら時針１１と分針１３とは、表示板２４と風防１８との間に位置して時刻を表示するようになっている。
【００７１】
この表示板２４は、図１、図２に示したように、外部からの光を透過可能な透光性基板３２を有している。そして、この透光性基板３２には、例えば、曜日や日付などの指標を表示するカレンダー表示部３４を上部より視認できるように、この実施例では、取り付け用貫通孔として機能する略矩形状の窓枠開口部３６が形成されている。
【００７２】
また、透光性基板３２の窓枠開口部３６に、付加部材を構成する略矩形枠形状の金属製の窓枠部材３８が取り付けられている。この窓枠部材３８は、図８に示したように、略矩形枠形状のフランジ枠部３８ａと、このフランジ枠部３８ａよりも寸法が小さい下方に延設された中空角形状の貫通部３８ｂとを備えている。この貫通部３８ｂの外寸法は、透光性基板３２の窓枠開口部３６の内寸法と略同じか僅かに小さい寸法を有するように設定されている。
【００７３】
また、フランジ枠部３８ａの寸法は、透光性基板３２の窓枠開口部３６の内寸法より大きくなっており、これにより、窓枠部材３８の貫通部３８ｂが、透光性基板３２の窓枠開口部３６を貫通した際に、このフランジ枠部３８ａが、透光性基板３２の窓枠開口部３６の外周上面に係止されて、窓枠部材３８が下方に抜け落ちるのが防止されるようになっている。
【００７４】
後述するように、この窓枠部材３８の貫通部３８ｂが、透光性基板３２の窓枠開口部３６を貫通して、支持部材４０によって固定されるようになっている。
一方、透光性基板３２の外周には、２箇所の切欠部３２ａが設けられており、この切欠部３２ａを、ムーブメント２０に形成された係合突設部２０ｂに嵌合することによって、透光性基板３２を位置決めするように構成されている。
【００７５】
また、透光性基板３２の下方には、透光性基板３２の外形形状に略合致した形状の略ハンドル形状の支持部材４０が配置されている。
図１、図２に示したように、ソーラー発電装置２２は、非発電領域であるリング状の外縁部２２ａと、ムーブメント２０の針軸３１を囲むように形成された小径の非発電領域であるリング状の中央部２２ｂとを備えている。また、これらの外縁部２２ａと中央部２２ｂとを連結するように形成された十字線を形成する非発電領域を構成する４つの分割部２２ｃ〜２２ｆを備えている。
【００７６】
そして、これらの分割部２２ｃ〜２２ｆに囲まれた部分に、４つの扇形状のソーラーセル部２３ａ〜２３ｄが形成されている。
なお、これらの分割部２２ｃ〜２２ｆのうち、上記の透光性基板３２の窓枠開口部３６に対応する位置には、窓枠開口部２２ｇが形成されており、この窓枠開口部２２ｇの下方のムーブメント２０に、カレンダー表示部３４が回転可能に組み込まれている。
【００７７】
一方、支持部材４０は、ソーラー発電装置２２の非発電領域であるリング状の外縁部２２ａに対応して、リング形状の外リング支持部４０ａを備えている。また、ムーブメント２０の針軸３１を囲むように、ソーラー発電装置２２の非発電領域であるリング状の中央部２２ｂに対応して、小径のリング形状の中央リング支持部４０ｂを備えている。
【００７８】
さらに、これらの外リング支持部４０ａと中央リング支持部４０ｂとを連結するように形成され、ソーラー発電装置２２の非発電領域である４つの分割部２２ｃ〜２２ｆと対応して十字線形状に配置された、４つの放射状支持部４０ｃ〜４０ｆを備えている。
【００７９】
また、これらの放射状支持部４０ｃ〜４０ｆのうち、上記の透光性基板３２の窓枠開口部３６に対応する放射状支持部４０ｆの位置には、取り付け用貫通孔を構成する窓枠開口
部４０ｇが形成されている。
【００８０】
従って、支持部材４０の外リング支持部４０ａ、中央リング支持部４０ｂ、放射状支持部４０ｃ〜４０ｆが、ソーラー発電装置２２の非発電領域に対応する形状、位置に配置されているので、透光性基板を透過した外部からの光を遮断することがないように構成されている。
【００８１】
なお、図１〜図３、図１０に示したように、支持部材４０の４つの放射状支持部４０ｃ〜４０ｆで区画された部分には、４つの扇形状のソーラーセル部２３ａ〜２３ｄに対応するように、４つの扇形状の開口部４１ａ〜４１ｄが形成されており、これらの開口部４１ａ〜４１ｄを介して、透光性基板を透過した外部からの光を、ソーラー発電装置に向けて通過させることができるようになっている。
【００８２】
このように構成することによって、開口部４１ａ〜４１ｄを介して、透光性基板３２を透過した外部からの光を、ソーラー発電装置２２に向けて通過させることができるので、例えば、ソーラー時計用表示板などのソーラー機器類の表示板として用いた場合にも、光透過率が低下することなく、発電に寄与することができ、機器類の駆動力などを確保することができる
この場合、窓枠開口部３６を有する透光性基板３２を備えた表示板２４は、軟質材料、あるいは脆性材料より成る透光性基板から構成されているのが、例えば、ソーラーセル（太陽電池）からなるソーラー発電装置を備えたソーラー時計、ソーラー発電装置を使った卓上計算機などのソーラーセル機器類に用いられ、ソーラー発電装置の上方に配置される表示板として用いる場合には、受光した光を透過させて、その下面側に配設したソーラー発電装置に発電機能を起こさせるためには望ましい。
【００８３】
また、表示板２４を構成する透光性基板３２の厚さとしては、３０μｍ〜１０００μｍであるのが望ましく、厚さがこのような範囲にあれば、例えば、腕時計用の表示板として用いる場合に、時計を薄くするために、透光性基板３２の厚さを薄くしても機械的強度が低下することなく、加工することができる。また、透光性基板３２の厚さが厚すぎて、時計の針が揺動することなく、正確な時間を指示することができるとともに、時計自体の厚さをコンパクトにすることができる。
【００８４】
さらに、透光性基板３２の厚さがこのような範囲にあれば、例えば、ソーラー時計用表示板などのソーラー機器類の表示板として用いた場合にも、光透過率が低下することなく、発電に寄与することができ、機器類の駆動力などを確保することができるとともに、表示板２４の下方に配置されたソーラーセルの境界線である十字線や、濃紫色を消し去り、ソーラーセルの色調が視認されないようにすることができる。
【００８５】
なお、透光性基板３２は、上記の軟質材料、脆性材料を平面的、または多層に組み合わせて形成したものであっても良い。
さらに、透光性基板３２を構成する軟質材料としては、特に限定されるものではないが、例えば、合成樹脂、紙、布などを用いることができる。また、基板を構成する脆性材料としては、特に限定されるものではないが、例えば、七宝、ガラスなどのセラミック、白蝶貝などの貝などを用いることができる。
【００８６】
一方、金属製の窓枠部材３８を構成する材料としては、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００８７】
一方、支持部材４０を構成する材料としては、特に限定されるものではないが、付加部材を固定するための強度を考慮すれば、金属製とするのが望ましく、例えば、金、銀、銅、黄銅、アルミニウム、マグネシウム、亜鉛、チタン、またはこれらの合金などが採用される。また、例えば、チタン合金、ステンレススチール、タンタルカーバイドなどが採用されてもよい。
【００８８】
以下に、このように構成される表示板２４を組み立てる工程について、図４〜図７、図９に基づいて説明する。
先ず、図４に示したように、透光性基板３２の窓枠開口部３６と、支持部材４０の窓枠開口部４０ｇを合致させて、図５、図９に示したように、透光性基板３２と支持部材４０とを、接合層４２を介して、相互に固定する（図１１参照）。
【００８９】
この場合、接合層４２が、接着剤、粘着剤、接合テープ（両面テープ）から選択した少なくとも一つの接合層から構成されているのが望ましい。
このように透光性基板３２と支持部材４０とが、接着剤、粘着剤、接合テープから選択した少なくとも一つの接合層を介して、固定されているので、付加部材である窓枠部材３８と透光性基板３２と支持部材４０とを一体的に強固に固定でき、全体として表示板２４を構成することができる。
【００９０】
透光性基板３２と支持部材４０とを、接合層４２を介して、相互に固定した後、図５の矢印で示したように、窓枠部材３８の貫通部３８ｂを、取り付け用貫通孔を構成する透光性基板３２の窓枠開口部３６、支持部材４０の窓枠開口部４０ｇを貫通するように挿通する。
【００９１】
そして、この状態では、図７、図９に示したように、窓枠部材３８のフランジ枠部３８ａが、透光性基板３２の窓枠開口部３６の外周上面に係止されて、窓枠部材３８が下方に抜け落ちるのが防止されるようになっている。
【００９２】
次に、図６、図９に示したように、透光性基板３２、支持部材４０の下面（裏面）側から、窓枠部材３８の貫通部３８ｂの下端部の外周縁部と、支持部材４０の窓枠開口部４０ｇの内周縁部との間に、レーザ溶接を行って溶接部４４を形成する。これにより、窓枠部材３８が、支持部材４０によって、透光性基板３２に固定されるようになっている。
【００９３】
なお、この実施例では、レーザ溶接を行ったが、その他の炭酸ガス溶接、ロー付けで行うことももちろん可能である。
このように構成することによって、透光性基板３２の上方に付加部材である窓枠部材３８を配置して、窓枠部材３８に形成された貫通部３８ｂを、透光性基板３２の窓枠開口部３６、支持部材４０の窓枠開口部４０ｇに貫通させて、透光性基板３２の下方に配置された支持部材４０を介して、である窓枠部材３８を簡単にしかも強固に固定することができる。
【００９４】
従って、表示板２４を構成する透光性基板３２が軟質材料から成る場合であっても、透光性基板３２に負荷がかかることがないので、周囲に歪が生じることがなく、付加部材である窓枠部材３８の周囲が変色せず、塑性変形する場合もなく、表示板２４の美観が損なわれることもない。
【００９５】
また、表示板２４を構成する透光性基板３２が脆性材料から成る場合であっても、透光性基板３２に負荷がかかることがないので、付加部材である窓枠部材３８の周囲にクラックが生じることがなく、窓枠部材３８の周囲が破損損傷することもなく、欠けることもなく、表示板２４の美観が損なわれることもない。
【００９６】
従って、衝撃の負荷によって透光性基板３２そのものが弾性変形しても、付加部材である窓枠部材３８が透光性基板３２より脱落せず、基板に大きな力学的負荷をかけずに、付加部材である窓枠部材３８を表示板２４に強固に固定でき、強度的にも優れ、しかも、美観が良好で、高級感を有した表示板２４を提供することができる。
【００９７】
なお、図１〜図３、図１０に示したように、この実施例の表示板２４では、支持部材４０の開口部４１ａ、４１ｂが、無線機能付きソーラー時計１０の外部からの電波を受信するためのアンテナ２６の上方近傍に配置されている。
【００９８】
このように開口部４１ａ、４１ｂを、アンテナ２６の上方近傍に配置することによって、例えば、無線機能付きソーラー時計１０に表示板２４を用いた場合に、アンテナ２６の上方には、電波の受信を妨げる導電性の支持部材４０が存在しないので、アンテナの受信感度が向上することになる。
【００９９】
また、この実施例の表示板２４では、無線機能付きソーラー時計１０において、外部からの電波を受信するためのアンテナ２６の開放両端部２６ａ、２６ｂに対向して、アンテナ２６の上方近傍に配置された２つの開口部４１ａ、４１ｂを備えている。
【０１００】
このように構成することによって、例えば、無線機能付きソーラー時計１０に表示板２４を用いた場合に、アンテナ２６の開放両端部２６ａ、２６ｂに対向する部分には、２つの開口部４１ａ、４１ｂによって、電波の受信を妨げる導電性の支持部材４０が存在しないので、これらの開口部４１ａ、４１ｂを介して、電波がアンテナの開放両端部２６ａ、２６ｂに受信され、アンテナの受信感度が向上することになる。
【０１０１】
なお、図示しないが、無線機能付きソーラー時計１０において、外部からの電波を受信するためのアンテナ２６の少なくとも一方の開放端部２６ａ（２６ｂ）に対向して、アンテナ２６の上方近傍に配置された開口部４１ａ（４１ｂ）を備えるようにしても良い。
【０１０２】
このように構成することによって、例えば、無線機能付きソーラー時計１０に表示板２４を用いた場合に、アンテナ２６の少なくとも一方の開放端部２６ａ（２６ｂ）に対向する部分には、開口部４１ａ（４１ｂ）によって、電波の受信を妨げる導電性の支持部材４０が存在しないので、この開口部４１ａ（４１ｂ）を介して、電波がアンテナ２６の一方の開放端部２６ａ（２６ｂ）に受信され、アンテナ２６の受信感度が向上することになる。
【０１０３】
なお、この実施例では、略矩形状の窓枠開口部３６が形成され、この窓枠開口部３６の形状に対応して、略矩形枠形状の金属製の窓枠部材３８が取り付けられているが、この窓枠開口部３６、窓枠部材３８の形状は、このような形状に限定されるものではなく、例えば、円形、三角形状、多角形状など、表示する指標に応じて適宜決定すればよい。
【０１０４】
また、この実施例では、支持部材４０に扇形の開口部４１ａ〜４１ｄを設けたが、開口部の代わりに、スリット、切り欠きとすることもできる。
（実施例２）
図１２は、本発明の別の実施例の表示板に付加部材を固定して組み立てた状態の図９と同様な部分拡大断面図、図１３は、図１２の表示板に付加部材として窓枠部材を固定して組み立てる工程を説明する表示板を下方から見た部分拡大斜視図である。
【０１０５】
この実施例の表示板２４は、図１〜図１１に示した表示板２４と基本的には同様な構成であり、同一の構成部材には、同一の参照番号を付して、その詳細な説明を省略する。
この実施例の表示板２４では、図１２、図１３に示したように、付加部材を構成する略矩形枠形状の金属製の窓枠部材３８の貫通部３８ｂの下端部に、２つの略矩形状の固定用突起部３８ｃが対向するように突設されている。
【０１０６】
そして、組み立ての際には、前述の実施例１の図５に示したように、透光性基板３２と支持部材４０とを、接合層４２を介して、相互に固定した後、図１３の矢印で示したように、窓枠部材３８の貫通部３８ｂを、取り付け用貫通孔を構成する透光性基板３２の窓枠開口部３６、支持部材４０の窓枠開口部４０ｇを貫通するように挿通する。
【０１０７】
そして、窓枠部材３８のフランジ枠部３８ａが、透光性基板３２の窓枠開口部３６の外周上面に係止されて、窓枠部材３８が下方に抜け落ちるのが防止した状態で、図１２に示したように、透光性基板３２、支持部材４０の下面（裏面）側から、窓枠部材３８の貫通部３８ｂの下端部に形成した２つの略矩形状の固定用突起部３８ｃを、図１２の矢印で示したように、相互に離間する方向に外側にかしめ加工する。これにより、窓枠部材３８が、支持部材４０によって、透光性基板３２に固定されるようになっている。
（実施例３）
図１４は、本発明の別の実施例の表示板に付加部材を固定して組み立てた状態の図９と同様な部分拡大断面図、図１５は、図１４の表示板に付加部材として窓枠部材を固定して組み立てる工程を説明する表示板を下方から見た部分拡大斜視図である。
【０１０８】
この実施例の表示板２４は、図１〜図１１に示した表示板２４と基本的には同様な構成であり、同一の構成部材には、同一の参照番号を付して、その詳細な説明を省略する。
この実施例の表示板２４では、図１４、図１５に示したように、付加部材が、例えば、時計の場合に、１２箇所取り付けられ時間を示す植字を構成する金属製の指標部材４６から構成されている。
【０１０９】
この指標部材４６の指標部材本体４６ａの下面には、一定間隔離間して形成された２つの下方に突設する貫通部４６ｂ、４６ｂが形成されている。
そして、この２つの貫通部４６ｂ、４６ｂに対応するように、透光性基板３２には、取り付け用貫通孔４３、４３が、支持部材４０の放射状支持部４０ｆの位置には、取り付け用貫通孔４５、４５が形成されている。
【０１１０】
そして、組み立ての際には、前述の実施例１の図５に示したように、透光性基板３２と支持部材４０とを、接合層４２を介して、相互に固定した後、図１５の矢印で示したように、指標部材４６の貫通部４６ｂ、４６ｂを、透光性基板３２の取り付け用貫通孔４３、４３、支持部材４０の取り付け用貫通孔４５、４５を貫通するように挿通する。
【０１１１】
そして、指標部材４６の指標部材本体４６ａが、透光性基板３２の取り付け用貫通孔４３、４３の外周上面に係止されて、指標部材４６が下方に抜け落ちるのが防止した状態で、図１４に示したように、透光性基板３２、支持部材４０の下面（裏面）側から指標部材４６の貫通部４６ｂ、４６ｂの下端部の外周縁部と、取り付け用貫通孔４５、４５の内周縁部との間に、レーザ溶接を行って溶接部４４を形成する。これにより、窓枠部材３８が、支持部材４０によって、透光性基板３２に固定されるようになっている。
【０１１２】
なお、この実施例では、レーザ溶接を行ったが、その他の炭酸ガス溶接、ロー付けで行うことももちろん可能である。
この場合、付加部材である指標部材４６が、ソーラー発電装置２２の非発電領域である、支持部材４０の放射状支持部４０ｆにより固定されているので、付加部材によって、外部からの光をソーラー発電装置２２の発電領域において遮断することがないので、光透過率が低下することなく、発電に寄与することができ、機器類の駆動力などを確保することができる。
（実施例４）
図１６は、本発明の別の実施例の表示板に付加部材として指標部材を固定して組み立てた状態の図９と同様な部分拡大断面図、図１７は、図１６の表示板に付加部材として指標部材を固定して組み立てる工程を説明する表示板を下方から見た部分拡大斜視図である。
【０１１３】
この実施例の表示板２４は、図１４〜図１５に示した実施例３の表示板２４と基本的には同様な構成であり、同一の構成部材には、同一の参照番号を付して、その詳細な説明を省略する。
【０１１４】
この実施例の表示板２４では、指標部材４６の貫通部４６ｂ、４６ｂの長さが、光性基板３２、支持部材４０を重ね合わせた長さよりも長く形成されている。そして、指標部材４６の貫通部４６ｂ、４６ｂの下端にそれぞれ、スリット４６ｃが形成され、このスリット４６ｃに分断されるように、それぞれ２つの固定用突起４６ｄ、４６ｄが形成されている。
【０１１５】
そして、組み立ての際には、図１５に示したように、透光性基板３２、支持部材４０の下面（裏面）側から、指標部材４６の貫通部４６ｂ、４６ｂの下端部に形成した２つの固定用突起４６ｄ、４６ｄを、図１５の矢印で示したように、相互に離間する方向に外側にかしめ加工する。これにより、指標部材４６が、支持部材４０によって、透光性基板３２に固定されるようになっている。
（実施例５）
図１８は、本発明の別の実施例の表示板に付加部材として装飾部材を固定して組み立てた状態の図９と同様な部分拡大断面図、図１９は、図１８の装飾部材の拡大斜視図である。
【０１１６】
この実施例の表示板２４は、図１４〜図１５に示した実施例３の表示板２４と基本的には同様な構成であり、同一の構成部材には、同一の参照番号を付して、その詳細な説明を省略する。
【０１１７】
この実施例の表示板２４では、付加部材として指標部材４６の代わりに、装飾部材４８を用いている。この装飾部材４８は、図１９に示したように、装飾石（宝石、貴石、またはそれらに似せたカットガラス）５０を備えている。そして、この装飾石５０が、金属製の略矩形箱形状の装飾石留め台座５２に、装飾石留め台座５２の上部に形成された固定用爪部５４によって係止されている。
【０１１８】
また、透光性基板３２の上面には、この略矩形箱形状の装飾石留め台座５２の形状に合致した略矩形状の凹部５８が形成されており、装飾石留め台座５２が凹部５８に嵌合するようになっている。
【０１１９】
これにより、装飾部材４８の装飾石留め台座５２の下面に形成した貫通部５６を、透光性基板３２の取り付け用貫通孔４３、支持部材４０の取り付け用貫通孔４５を貫通するように挿通して、装飾部材４８の貫通部５６の下端部を押し潰して、リベット留め部６２を形成して組み立てた際に、装飾部材４８が、貫通部５６を中心にして回転することがないように構成されている。
（実施例６）
図２０は、本発明の別の実施例の表示板を、無線機能付きソーラー腕時計に組み込んだ状態を説明する上面図、図２１は、本発明の別の実施例の表示板を示す分解斜視図、図２２は、本発明の別の実施例の表示板を示す部分拡大断面図、図２３は、反射型偏光板の作用を説明する概略図である。
【０１２０】
この実施例の表示板２４は、図１〜図１１に示した表示板２４と基本的には同様な構成であり、同一の構成部材には、同一の参照番号を付して、その詳細な説明を省略する。
この実施例の表示板２４では、支持部材４０に上下方向（厚さ方向）に貫通した上面視で略円形の多数の開口部である小孔６０が形成されている。そして、この支持部材４０の下面に、透過性反射板６４が配置されている。
【０１２１】
このように、支持部材４０の下面に透過性反射板６４を配置することで、表示部材全体として装飾性の富んだ貴金属感が表れるとともに、支持部材４０に設けた開口部である小孔６０が、透過性反射板６４の作用を受けて殆ど目立たず、違和感を覚えさせないようにすることができる。
【０１２２】
透過性反射板６４は、光透過性と反射性の両方の機能を持ったもので、ポリエチレンテレフタレート樹脂フィルムやポリイミド樹脂フィルムなどの樹脂フィルムに真空蒸着方法、スパッタリング方法、イオンプレーティング方法などによる乾式メッキ方法で金属薄膜を形成して、透過性と反射性の両方の機能を持たせたフィルム板や反射型偏光板などを透過性反射板６４として用いることができる。
【０１２３】
また、乾式メッキ方法で金属薄膜を形成した透過性反射板６４は、金属膜の膜厚を変えることにより自由に光透過率を設定することができる。この透過性反射板６４はソーラーセル２３の濃紫色を強く見えなくするために設けるもので、ソーラーセル２３からの反射光で表示面側へ透過して出射する光を減らすとともに、透過性反射板６４の持っている色調で濃紫色を和らげるために設けるものである。
【０１２４】
透過性反射板６４の色調は導、支持部材４０の色調と同系色の色調を選択するのが好ましい。同系色であると支持部材４０の開口部である小孔６０の存在が目立たなくなり、違和感を覚えさせないようになる。
【０１２５】
支持部材４０の開口部である小孔６０から入射した光は、図２２の矢印Ａで示したように、この透過性反射板６４を透過してソーラーセル２３に入射する。
しかしながら、矢印Ｂで示したように、この透過性反射板６４によって反射される光も現れるのでその透過率は減少する。従って、この透過性反射板６４の透過率も考慮した中で、支持部材４０の開口部である小孔６０の大きさ、面積を設定するようにする。この透過性反射板６４の厚みは、５０〜３００μｍの厚みのものを使用することが好ましい。
【０１２６】
なお、この実施例において透過性反射板６４は、１３０μｍ厚みの反射型偏光板を用いている。反射型偏光板は、図２３に示したように、反射軸Ｎと透過容易軸Ｍを有していて、反射軸Ｎと平行な振動面を持つ直線偏光成分は反射し、透過容易軸Ｍと平行な振動面を持つ直線偏光成分は透過する特性を持っている。また、約５０％の光を透過し、約５０％の光を反射する特性を持っている。
【０１２７】
この実施例では、住友３Ｍ社製の商品名「ＤＢＥＦ」を用い、光沢のある銀色（シルバー色）を呈する強い反射光を得ている。この反射型偏光板には銀色の他に金色を呈する反射光が得られるものもある。
【０１２８】
このように透過性反射板６４を支持部材４０の下面に配置することによって、表示板２４全体として、銀色を呈して装飾性の富んだ貴金属感が表れることとなる。また、支持部材４０に設けた小孔６０は、銀色の反射光が得られる透過性反射板６４の作用を受けて殆ど目立たず、違和感を覚えないものとなっている。
【０１２９】
また、図２０に示したように、支持部材４０に設けられた多数の小孔６０のうち、少なくとも一つは、表示板２４の下方に収容されたアンテナ２６の一方の開放端部２６ａに対向して、開放端部２６ａの上方近傍に配置されている。さらに、アンテナ２６の他方の開放端部２６ｂも小孔６０のうち、少なくとも１つと対向して配置されることが好ましい。
【０１３０】
このような形態で小孔６０を設けることで、表示板２４の上方から入射する電波は小孔６０を透過し、小孔６０にそれぞれ対向する位置にあるアンテナ２６の開放端部２６ａ，２６ｂに到達するので、アンテナ２６は所定の電波を良好な感度で受信できる。
【０１３１】
なお、この実施例において、小孔６０は、図２０〜図２２に示す形状には限られない。例えば、図２４に示したように、アンテナ２６に直交する方向にスリット６６を入れてもよい。また、図示しないが、支持部材４０の中心から放射状にスリットを入れてもよし、支持部材４０の中心から放射状に入るスリットと、支持部材４０の中心から同心円状に入るスリットの組み合わせであっても構わない。
【０１３２】
このように設けられた小孔６０であっても、この小孔６０がアンテナ２６の少なくとも一方の開放端部２６ａに対向して、開放端部２６ａの上方近傍に配置されていれば、表示板２４の上方から入射する電波が小孔６０を透過し、小孔６０に対向する位置にあるアンテナ２６の開放端部２６ａに到達するので、アンテナ２６は所定の電波を良好な感度で受信できるとともに、ソーラーセル２３の発電に寄与する波長の外光を、ムーブメント２０の駆動に足るだけ十分に取り入れることができる。
【０１３３】
なお、上記の実施例では、付加部材として、窓枠部材３８、指標部材４６、装飾部材４８を用いたが、会社名、ブランド名、ペットネーム、メーカー名などの製品を識別するための識別部材などのその他の付加部材を取り付けるためも適用できるもので、何ら限定されるものではない。
【０１３４】
以上、本発明の好ましい実施の態様を説明してきたが、本発明はこれに限定されることはなく、例えば、上記実施例では、本発明の表示板を、ソーラーセル（太陽電池）からなるソーラー発電装置を備えたソーラー腕時計に適用したが、ソーラー発電装置を使った卓上計算機などのソーラーセル機器類に用いることもできる
さらには、ソーラーセル機器類以外にも、例えば、時計用の表示板、卓上計算機、自動車、飛行機の計器パネル、携帯電話などのモバイル機器などの機器類の表示板としても用いることも可能であり、この場合には、透光性基板３２は、透過性の基板でなくてもよいなど本発明の目的を逸脱しない範囲で種々の変更が可能である。
【図面の簡単な説明】
【０１３５】
【図１】図１は、本発明の表示板を、ソーラーセル（太陽電池）からなるソーラー発電装置を備えた無線機能付きソーラー腕時計に組み込んだ状態を説明する分解斜視図である。
【図２】図２は、図１の部分拡大分解斜視図である。
【図３】図３は、本発明の表示板を、無線機能付きソーラー腕時計に組み込んだ状態を説明する上面図である。
【図４】図４は、図１の表示板に付加部材として窓枠部材を固定して組み立てる工程を説明する表示板を下方から見た部分拡大斜視図である。
【図５】図５は、図１の表示板に付加部材として窓枠部材を固定して組み立てる工程を説明する表示板を下方から見た部分拡大斜視図である。
【図６】図６は、図１の表示板に付加部材として窓枠部材を固定して組み立てる工程を説明する表示板を下方から見た部分拡大斜視図である。
【図７】図７は、図１の表示板に付加部材として窓枠部材を固定して組み立てる工程を説明する表示板を上方から見た部分拡大斜視図である。
【図８】図８は、付加部材としての窓枠部材の斜視図である。
【図９】図９は、表示板に付加部材を固定して組み立てた状態の部分拡大断面図である。
【図１０】図１０は、支持部材の平面図、図１１は、透光性基板と支持部材とを接合した状態の平面図である。
【図１１】図１１は、透光性基板と支持部材とを接合した状態の平面図である。
【図１２】図１２は、本発明の別の実施例の表示板に付加部材を固定して組み立てた状態の図９と同様な部分拡大断面図である。
【図１３】図１３は、図１２の表示板に付加部材として窓枠部材を固定して組み立てる工程を説明する表示板を下方から見た部分拡大斜視図である。
【図１４】図１４は、本発明の別の実施例の表示板に付加部材を固定して組み立てた状態の図９と同様な部分拡大断面図である。
【図１５】図１５は、図１４の表示板に付加部材として窓枠部材を固定して組み立てる工程を説明する表示板を下方から見た部分拡大斜視図である。
【図１６】図１６は、本発明の別の実施例の表示板に付加部材として指標部材を固定して組み立てた状態の図９と同様な部分拡大断面図である。
【図１７】図１７は、図１６の表示板に付加部材として指標部材を固定して組み立てる工程を説明する表示板を下方から見た部分拡大斜視図である。
【図１８】図１８は、本発明の別の実施例の表示板に付加部材として装飾部材を固定して組み立てた状態の図９と同様な部分拡大断面図である。
【図１９】図１９は、図１８の装飾部材の拡大斜視図である。
【図２０】図２０は、本発明の別の実施例の表示板を、無線機能付きソーラー腕時計に組み込んだ状態を説明する上面図である。
【図２１】図２１は、本発明の別の実施例の表示板を示す分解斜視図である。
【図２２】図２２は、本発明の別の実施例の表示板を示す部分拡大断面図である。
【図２３】図２３は、反射型偏光板の作用を説明する概略図である。
【図２４】図２０は、本発明の別の実施例の表示板を、無線機能付きソーラー腕時計に組み込んだ状態を説明する上面図である。
【図２５】図２５は、従来の表示板の上面である。
【図２６】図２６は、図２５のＢ−Ｂ線での部分拡大断面図である。
【図２７】図２７は、図２５の窓枠部材１０８の斜視図である。
【符号の説明】
【０１３６】
１０   ソーラー時計
１１   時針
１２   ハウジング
１３   分針
１４   時計ケース
１６   裏蓋
１８   風防
２０   ムーブメント
２０ａ 小径部
２０ｂ 係合突設部
２２   ソーラー発電装置
２２ａ 外縁部
２２ｂ 中央部
２２ｃ-２２ｆ 分割部
２２ｇ 窓枠開口部
２３   ソーラーセル
２３ａ-２３ｄ ソーラーセル部
２４   表示板
２６   アンテナ
２６ａ 開放端部
２６ｂ 開放端部
２８   バンド取り付け部
３０   脚部
３１   針軸
３２   透光性基板
３２   内壁
３２ａ 切欠部
３２   透光性基板
３４   カレンダー表示部
３６   窓枠開口部
３８   窓枠部材
３８ａ フランジ枠部
３８ｂ 貫通部
３８ｃ 固定用突起部
４０   支持部材
４０ａ 外リング支持部
４０ｂ 中央リング支持部
４０ｃ-４０ｆ 放射状支持部
４０ｆ 放射状支持部
４０ｇ 窓枠開口部
４１ａ-４１ｄ 開口部
４２   接合層
４３   取り付け用貫通孔
４４   溶接部
４５   取り付け用貫通孔
４６   指標部材
４６ａ 指標部材本体
４６ｂ 貫通部
４６ｃ スリット
４６ｄ 固定用突起
４８   装飾部材
５０   装飾石
５２   装飾石留め台座
５４   固定用爪部
５６   貫通部
５８   凹部
６０   小孔
６２   リベット留め部
６４   透過性反射板
６６   スリット
１００ 表示板
１０１ 飾り縁
１０３ 貫通窓
１０２ 基板
１０４ 窓枠開口部
１０６ 内壁
１０８ 窓枠部材
１１０ 貫通部
１１２ 突起部
Ｍ     透過容易軸
Ｎ     反射軸
【図１】
2008249492.tif 000003
【図２】
2008249492.tif 000004
【図３】
2008249492.tif 000005
【図４】
2008249492.tif 000006
【図５】
2008249492.tif 000007
【図６】
2008249492.tif 000008
【図７】
2008249492.tif 000009
【図８】
2008249492.tif 000010
【図９】
2008249492.tif 000011
【図１０】
2008249492.tif 000012
【図１１】
2008249492.tif 000013
【図１２】
2008249492.tif 000014
【図１３】
2008249492.tif 000015
【図１４】
2008249492.tif 000016
【図１５】
2008249492.tif 000017
【図１６】
2008249492.tif 000018
【図１７】
2008249492.tif 000019
【図１８】
2008249492.tif 000020
【図１９】
2008249492.tif 000021
【図２０】
2008249492.tif 000022
【図２１】
2008249492.tif 000023
【図２２】
2008249492.tif 000024
【図２３】
2008249492.tif 000025
【図２４】
2008249492.tif 000026
【図２５】
2008249492.tif 000027
【図２６】
2008249492.tif 000028
【図２７】
2008249492.tif 000029